(57)【要約】【課題】バッテリへの充電を制御する充電制御装置において、バッテリ温度の影響を受けることなく、バッテリを満充電状態まで充電できるようにする。【解決手段】充電制御装置は、バッテリへの充電電流を検出する電流検出部と、バッテリへの充電時に充電電流が充電完了電流値まで低下すると、バッテリへの充電が完了したと判断して、バッテリへの充電を停止させる制御部と、バッテリの温度を検出する温度検出部とを備える。そして、制御部は、温度検出部にて検出されたバッテリの温度に応じて、充電完了電流値を設定する。【選択図】図４
2019075955.tif 000002
【特許請求の範囲】
【請求項１】
バッテリへの充電電流を検出する電流検出部と、
前記バッテリへの充電時に前記充電電流が充電完了電流値まで低下すると、前記バッテリへの充電が完了したと判断して、前記バッテリへの充電を停止させる制御部と、
前記バッテリの温度を検出する温度検出部と、
を備え、前記制御部は、前記温度検出部にて検出された前記バッテリの温度に応じて、前記充電完了電流値を設定するよう構成されている、充電制御装置。
【請求項２】
前記制御部は、前記バッテリの電圧が既定電圧値に達していないときには、前記充電完了電流値を零若しくは最低電流値に設定するよう構成されている、請求項１に記載の充電制御装置。
【請求項３】
前記制御部は、前記バッテリの電圧が既定電圧値に達していないときには、前記充電完了電流値に基づく充電完了判定を実施しないように構成されている、請求項１に記載の充電制御装置。
【発明の詳細な説明】
【技術分野】
【０００１】
本開示は、バッテリへの充電を制御する充電制御装置に関する。
【背景技術】
【０００２】
バッテリへの充電方法として、充電開始後、バッテリ電圧が所定電圧に達するまでは定電流充電を行い、バッテリ電圧が所定電圧に達すると、定電圧充電を行う、所謂ＣＣＣＶ充電が知られている。
【０００３】
この種の充電方法では、バッテリが満充電状態に近付くにつれて充電電流が低下する。  このため、この種の充電方法に従いバッテリへの充電を制御する充電制御装置は、充電電流が充電完了電流値まで低下すると、バッテリが満充電状態となったと判断して、バッテリへの充電を停止させるように構成されている（例えば、特許文献１参照）。
【先行技術文献】
【特許文献】
【０００４】
【特許文献１】特許第４７２５６０５号公報
【発明の概要】
【発明が解決しようとする課題】
【０００５】
しかしながら、従来の充電制御装置では、充電完了電流値を一定にしているため、充電時のバッテリ状態（温度）によっては、バッテリを満充電状態まで充電できず、充電容量が低くなってしまうことがあった。
【０００６】
つまり、バッテリは温度によって内部抵抗が変化することから、充電完了電流値を一定にしていると、内部抵抗の変化の影響を受けて、充電容量がばらつくことがある。
本開示の一局面は、バッテリへの充電を制御する充電制御装置において、バッテリ温度の影響を受けることなく、バッテリを満充電状態まで充電できるようにすることが望ましい。
【課題を解決するための手段】
【０００７】
本開示の一局面の充電制御装置は、バッテリへの充電電流を検出する電流検出部と、バッテリの温度を検出する温度検出部と、制御部とを備える。
そして、制御部は、バッテリへの充電時に充電電流が充電完了電流値まで低下すると、バッテリへの充電が完了したと判断して、バッテリへの充電を停止させる。
【０００８】
また、制御部は、温度検出部にて検出されたバッテリの温度に応じて、充電完了電流値を設定する。
このため、本開示の充電制御装置によれば、温度によってバッテリの内部抵抗が変化しても、その変化に応じて充電完了電流値を設定することができるようになり、その結果、バッテリを所望の満充電状態となるまで充電できるようになる。
【０００９】
ところで、充電電流だけで充電完了を判定するようにすると、充電電流が外乱等で一時的に低下したときにも、充電が停止されることが考えられる。
このため、制御部は、バッテリの電圧が既定電圧値に達していないときには、充電完了電流値を零若しくは最低電流値に設定するよう構成してもよい。このようにすれば、充電電流が一時的に低下した際に、充電が完了したと誤判定されるのを抑制し、バッテリをより確実に満充電状態まで充電させることができるようになる。
【００１０】
また、制御部は、バッテリの電圧が既定電圧値に達していないときには、充電完了電流値に基づく充電完了判定を実施しないように構成されていても、上記と同様の効果を得ることができる。
【００１１】
なお、本開示の充電制御装置は、バッテリと共にバッテリパックに収納して、バッテリパックの一機能として実現するようにしてもよいし、充電器に設けて、充電器の一機能として実現するようにしてもよい。
【００１２】
また、本開示の技術は、上述したＣＣＣＶ充電に限らず、充電電流が充電完了電流値まで低下したときに、充電を停止させる装置であれば適用できる。
【図面の簡単な説明】
【００１３】
【図１】バッテリパック及び充電器の外観を表す斜視図である。
【図２】バッテリパックの回路構成を表すブロック図である。
【図３】充電器の回路構成を表すブロック図である。
【図４】バッテリ制御回路及び充電制御回路において実行される充電制御処理を表すフローチャートである。
【図５】バッテリ制御回路にて実行される充電制御処理の変形例を表すフローチャートである。
【発明を実施するための形態】
【００１４】
以下に本開示の実施形態を図面と共に説明する。
図１に示すように、本実施形態の充電システムは、バッテリパック２と、充電器４０とにより構成される。
【００１５】
バッテリパック２は、例えば、充電式電動工具、充電式掃除機、充電式草刈り器等、各種電動作業機に着脱自在に装着されて、その動力源である直流モータ等に電力供給を行うのに利用される。
【００１６】
充電器４０は、電源コード４２を介して外部電源（一般に商用電源：交流電圧）から電力供給を受けることにより、バッテリ充電用の充電電圧（直流電圧）を生成し、バッテリパック２内のバッテリ１０（図２参照）を充電する。
【００１７】
このため、充電器４０の上面には、バッテリパック２を装着（換言すれば載置）するための装着部４４が形成されている。この装着部４４は、バッテリパック２をスライドさせて装着できるように、バッテリパック２の裏面の装着部４の形状に対応して形成されている。
【００１８】
また、装着部４４には、バッテリパック２の装着時に、バッテリパック２の裏面に形成された端子部６と嵌合可能な端子部４６が形成されている。
そして、充電器４０の端子部４６及びバッテリパック２の端子部６には、それぞれ、バッテリパック２を充電器４０の装着部４４に装着した際、相互に接続される端子５１〜５８、１１〜１８が設けられている（図２，図３参照）。
【００１９】
なお、バッテリパック２において、端子１１、１２は、バッテリ１０の正極側及び負極側にそれぞれ接続されて、充電器４０からの充電電流や電動作業機への放電電流を流すための正極端子及び負極端子である。
【００２０】
また、端子１４は、充電器４０や電動作業機との間で通信を行うための通信端子であり、端子１６は、充電器４０の電源電圧Ｖｃｃを取り込むための端子であり、端子１８は、充電許可信号を出力するための端子である。
【００２１】
また、充電器４０において、端子５１、５２は、バッテリパック２が装着された際に、バッテリパック２の端子１１、１２にそれぞれ接続されて、バッテリ１０への充電を行うための正極端子及び負極端子である。
【００２２】
また、端子１４は、バッテリパック２の端子１４に接続されて、バッテリパック２との間で通信を行うための通信端子であり、端子５６は、バッテリパック２の端子１６に接続されて、充電器４０内で生成された電源電圧Ｖｃｃを出力するための端子である。また、端子５８は、バッテリパック２の端子１８に接続されて、充電許可信号を取り込むための端子である。
【００２３】
次に、バッテリパック２及び充電器４０の回路構成を、図２及び図３を用いて説明する。
図２に示すように、バッテリパック２内のバッテリ１０は、充放電可能な複数のセルを直列に接続することにより構成されており、その正極側は端子１１に接続され、負極側は端子１２に接続されている。
【００２４】
バッテリパック２内には、バッテリ１０の両端電圧（バッテリ電圧）や各セルの電圧（セル電圧）を監視する監視回路（ＩＣ）２０、及び、バッテリ１０のセルの温度（セル温度）を検出する温度検出回路２２が設けられている。なお、温度検出回路２２は、例えば、温度により抵抗値が変化するサーミスタ等にて構成される。
【００２５】
バッテリ１０の負極側と端子１２との間の電流経路には、例えば抵抗にて構成される電流検出素子２４が設けられており、監視回路２０は、その両端電圧を取り込むことで、バッテリ１０への充電時及び放電時に流れる充電電流及び放電電流を監視する。
【００２６】
監視回路２０による監視結果（バッテリ電圧、セル電圧、充電電流又は放電電流）、及び、温度検出回路２２による検出結果（セル温度）は、バッテリ制御回路３０に入力される。
【００２７】
バッテリ制御回路３０は、ＣＰＵ、ＲＯＭ、ＲＡＭ等を中心とするマイクロコンピュータ（マイコン）にて構成されており、各種情報が記憶されるメモリ３２を備える。なお、メモリ３２は不揮発性メモリである。
【００２８】
また、バッテリパック２には、Ｖｃｃ検出回路２６、充電許可信号出力回路２８、及び、残容量ＬＥＤ制御回路３４も備えられており、これら各回路は、バッテリ制御回路３０に接続されている。
【００２９】
Ｖｃｃ検出回路２６は、充電器４０から端子１６に入力される電源電圧Ｖｃｃを検出するためのものであり、その検出結果は、バッテリ制御回路３０に入力される。
充電許可信号出力回路２８は、バッテリ制御回路３０からの指令に従い、バッテリ１０への充電開始若しくは充電完了を許可する、充電開始許可信号及び充電完了許可信号を生成して、端子１８から充電器４０へ出力するためのものである。
【００３０】
残容量ＬＥＤ制御回路３４は、バッテリ制御回路３０からの指令に従い、残容量表示用のＬＥＤの点灯状態を制御することにより、バッテリ１０の残容量を表示させるためのものである。なお、残容量とは、バッテリ１０に残っている電力量（換言すれば、残りの充電量）のことである。
【００３１】
次に、充電器４０には、外部電源から交流電力を受けてバッテリ１０を充電するのに必要な充電電圧を生成し、端子５１、５２へ出力する電源回路６２と、電源回路６２からの出力を制御する充電制御回路６０と、が備えられている。
【００３２】
充電制御回路６０は、バッテリ制御回路３０と同様、マイコンにて構成されている。
そして、充電制御回路６０は、バッテリパック２が充電器４０に接続されているときに、端子５４、１４を介して接続されるバッテリ制御回路３０との間で通信を行うことで、バッテリ１０への充電を制御する。
【００３３】
また、充電制御回路６０は、バッテリパック２が装着されているとき、バッテリパック２の端子１８から端子５８に入力される充電許可信号（充電開始許可信号、充電完了許可信号）に従い、バッテリ１０への充電を開始又は停止する。
【００３４】
なお、端子５８から充電制御回路６０に至る充電許可信号の入力経路は、抵抗Ｒ１を介して、充電器４０内の電源ライン（電源電圧：Ｖｃｃ）に接続されている。
このため、充電器４０にバッテリパック２が接続されていないときには、端子５８から充電制御回路６０に入力される電圧は電源電圧Ｖｃｃとなり、充電制御回路６０は、その電圧値から、バッテリパック２が接続されていないことを検知できる。
【００３５】
次に、充電器４０の電源回路６２は、バッテリ１０への充電電圧を生成するだけでなく、充電制御回路６０の電源電圧Ｖｃｃ（例えば直流５［Ｖ］）を生成する。そして、電源回路６２にて生成された電源電圧Ｖｃｃは、端子５６からバッテリパック２の端子１６へ出力される。
【００３６】
このため、バッテリパック２側では、Ｖｃｃ検出回路２６が、端子１６に充電器４０の電源電圧Ｖｃｃが印加されたことを検出することにより、バッテリパック２が充電器４０に接続されたことを検知できる。
【００３７】
また、充電器４０には、電源回路６２の温度を検出する温度検出回路６４が設けられており、温度検出回路６４からの検出信号は、充電制御回路６０に入力される。そして、充電制御回路６０は、温度検出回路６４にて検出された温度が高いときには、バッテリ１０への充電電流を抑制する。
【００３８】
次に、バッテリパック２内のバッテリ制御回路３０及び充電器４０内の充電制御回路６０にてバッテリ１０を充電するために実行される充電制御処理について説明する。
バッテリ制御回路３０は、バッテリ電圧（バッテリ電圧低下時には充電器４０から端子１６に入力される電源電圧Ｖｃｃ）を受けて動作し、図４の左側に記載された充電制御処理をメインルーチンの一つとして繰り返し実行する。
【００３９】
また、充電制御回路６０は、電源回路６２から出力される電源電圧Ｖｃｃを受けて動作し、図４の右側に記載された充電制御処理をメインルーチンの一つとして繰り返し実行する。
【００４０】
図４に示すように、バッテリ制御回路３０は、Ｓ１１０にて、Ｖｃｃ検出回路２６からの電源電圧Ｖｃｃの検出信号に基づき、バッテリパック２が充電器４０に接続されているか否かを判断することで、充電器４０に接続されるのを待機する。
【００４１】
そして、バッテリパック２が充電器４０に接続されていると判断されると、Ｓ１２０に移行して、バッテリ１０への充電準備のための前処理を行う。
なお、この前処理では、例えば、バッテリ電圧やセル電圧、セル温度、過去の充電履歴、等に基づき、現在、バッテリ１０は充電が必要で、且つ、充電が可能である、といった充電条件が成立しているかを判断する。
【００４２】
そして、前処理にて充電条件が成立している判断されると、Ｓ１３０に移行し、充電許可信号出力回路２８から充電制御回路６０へ充電開始許可信号を送信させる。
一方、充電制御回路６０は、Ｓ３１０にて、端子５８の電位に基づき、バッテリパック２が充電器４０に接続されたか否かを判断することで、バッテリパック２が接続されるのを待機する。
【００４３】
そして、バッテリパック２が充電器４０に接続されたと判断すると、Ｓ３２０に移行して、バッテリパック２から端子５８を介して入力される充電開始許可信号を受信したか否かを判断する。
【００４４】
また、Ｓ３２０にて、充電開始許可信号を受信したと判断されると、Ｓ３３０にて、当該充電器４０は、充電開始可能であるか否かを判断する。つまり、Ｓ３２０では、例えば、温度検出回路６４により検出された温度等に基づき、充電器４０はバッテリ１０への充電を実施できるか否かを判断する。
【００４５】
そして、Ｓ３３０にて、充電器４０は充電開始可能であると判断されると、Ｓ３４０に移行して、バッテリ１０への充電を開始する。
なお、Ｓ３２０にて充電開始許可信号は受信していないと判断されるか、或いは、Ｓ３３０にて充電開始できないと判断された場合には、Ｓ３１０に移行し、Ｓ３１０以降の処理を再度実行する。
【００４６】
このように、バッテリ制御回路３０から充電制御回路６０に充電開始許可信号が送信されて、充電制御回路６０側で充電開始可能と判断されると、バッテリ１０への充電が開始される。なお、バッテリ１０への充電は、上述したＣＣＣＶ等、予め設定された充電方法で実施される。
【００４７】
このため、バッテリ制御回路３０は、Ｓ１３０にて充電開始許可信号を送信すると、Ｓ１４０〜Ｓ２５０の処理にて充電電流Ｉｎｏｗを監視し、充電電流Ｉｎｏｗが充電完了電流値Ｉｃｕｔまで低下して、充電が完了するのを待機する。
【００４８】
すなわち、バッテリ制御回路３０は、Ｓ１４０にて、監視回路２０から現在の充電電流Ｉｎｏｗを取得し、Ｓ１５０にて、監視回路２０から現在のセル電圧Ｖを取得し、Ｓ１６０にて、温度検出回路２２から、現在のセル温度Ｔを取得する。
【００４９】
そして、Ｓ１７０では、セル電圧Ｖが予め設定された規定値を下回っているか否かを判断し、セル電圧Ｖが既定値を下回っていれば、バッテリ１０への充電は不十分であるので、Ｓ１８０に移行して、充電完了電流値Ｉｃｕｔを零に設定する。
【００５０】
なお、セル電圧Ｖの既定値は、バッテリ１０の満充時の電圧若しくは満充時の電圧よりも少し低い電圧値に設定されている。
これは、バッテリ電圧（本実施形態ではセル電圧）が低く、バッテリ１０が充分充電されていないときに、充電電流Ｉｎｏｗがノイズ等によって一時的に低下し、後述のＳ２５０の判定処理にて、充電が完了したと誤判定されるのを防止するためである。
【００５１】
次に、Ｓ１７０にて、セル電圧Ｖは規定値以上であると判断されると、Ｓ１９０に移行し、セル温度Ｔは第１温度Ｔ１以下である否かを判断する。そして、セル温度Ｔが第１温度Ｔ１以下である場合には、Ｓ２００に移行して、充電完了電流値Ｉｃｕｔを第１電流値I１に設定する。
【００５２】
また、Ｓ１９０にて、セル温度Ｔは第１温度Ｔ１よりも高いと判断されると、Ｓ２１０に移行して、セル温度Ｔは第１温度Ｔ１以上、第２温度Ｔ２以下の温度範囲内にあるか否かを判断する。なお、第２温度Ｔ２は、第１温度Ｔ１よりも高い。
【００５３】
そして、Ｓ２１０にて、セル温度Ｔは、第１温度Ｔ１から第２温度Ｔ２までの温度範囲内にあると判断されると、Ｓ２３０に移行して、充電完了電流値Ｉｃｕｔを第２電流値I２に設定する。
【００５４】
また、Ｓ２１０にて、セル温度Ｔは、第１温度Ｔ１から第２温度Ｔ２までの温度範囲内にない、つまり、セル温度Ｔは、第２温度Ｔ２よりも高い、と判断されると、Ｓ２４０に移行して、充電完了電流値Ｉｃｕｔを第３電流値Ｉ３に設定する。
【００５５】
なお、第１電流値Ｉ１、第２電流値Ｉ２、第３電流値Ｉ３は、セル温度Ｔ（換言すればバッテリ温度）が、第１温度Ｔ１及び第２温度Ｔ２で区切られた３つの温度領域のいずれにあっても、同じ充電容量で充電完了を判定し得る電流値に設定されている。
【００５６】
そして、Ｓ１８０、Ｓ２００、Ｓ２３０、又はＳ２４０にて、充電完了電流値Ｉｃｕｔが設定されると、Ｓ２５０に移行して、充電電流Ｉｎｏｗはバッテリ１０への充電により低下し、充電完了電流値Ｉｃｕｔを下回ったか否かを判断する。
【００５７】
そして、Ｓ２５０にて、充電電流Ｉｎｏｗは、充電完了電流値Ｉｃｕｔ以上であると判断されると、Ｓ１４０に移行し、充電電流Ｉｎｏｗは、充電完了電流値Ｉｃｕｔよりも小さいと判断されると、バッテリ１０への充電は完了したと判断して、Ｓ２６０に移行する。
【００５８】
Ｓ２６０では、充電許可信号出力回路２８から充電制御回路６０へ充電完了許可信号を送信させる。そして、続くＳ２７０では、充電制御回路６０から充電完了信号が送信されてくるのを待機し、充電完了信号を受信すると、Ｓ１１０に移行する。
【００５９】
次に、充電制御回路６０においては、Ｓ３４０にて、バッテリ１０への充電を開始すると、Ｓ３５０に移行して、バッテリ制御回路３０から送信されてくる充電完了許可信号を受信したか否かを判断する。
【００６０】
また、Ｓ３５０にて、充電完了許可信号を受信していないと判断すると、Ｓ３６０に移行して、例えば、電源回路６２の温度上昇等によって、充電器４０側で充電停止条件が成立したか否かを判断する。そして、Ｓ３６０にて、充電停止条件は成立していないと判断されると、Ｓ３５０に移行する。
【００６１】
一方、Ｓ３５０にて、充電完了信号を受信したと判断されるか、或いは、Ｓ３６０にて、充電停止条件が成立したと判断されると、Ｓ３７０に移行して、バッテリ１０への充電を停止する。そして、続くＳ３８０にて、充電完了信号を送信し、Ｓ３１０に移行する。
【００６２】
この結果、バッテリ制御回路３０側では、Ｓ２７０にて充電完了信号を受信することで、バッテリ１０への充電が完了したことを検知できる。
なお、充電制御回路６０において、充電停止条件が成立して、充電を停止し、充電完了信号を送信した際には、バッテリ制御回路３０側では、充電電流Ｉｎｏｗにて充電完了を判定する前に充電完了信号を受信することになる。このため、バッテリ制御回路３０側では、充電完了信号を受信することで、バッテリ１０への充電途中で充電が停止したことを検知し、バッテリ１０への充電が完了していないことを、履歴として残すことができる。
【００６３】
以上説明したように、本実施形態の充電システムにおいては、バッテリ１０への充電中、バッテリパック２内のバッテリ制御回路３０が充電電流Ｉｎｏｗを監視し、充電電流Ｉｎｏｗが充電完了電流値Ｉｃｕｔよりも小さくなったときに、充電完了と判定する。
【００６４】
そして、バッテリ制御回路３０は、充電完了判定に用いる充電完了電流値Ｉｃｕｔを、バッテリ１０の温度（詳しくはバッテリ１０内部のセルの温度）に応じて設定する。
このため、本実施形態の充電制御装置によれば、バッテリ１０の内部抵抗が温度によって変化しても、その変化に応じて充電完了電流値Ｉｃｕｔを設定することができるようになり、バッテリ１０を所望の満充電状態まで充電することができるようになる。従って、バッテリ１０の温度によって充電容量がばらつくのを抑制できる。
【００６５】
なお、充電完了電流値Ｉｃｕｔは、バッテリ１０が所望の満充電状態になったことを判定するのに用いられるが、所望の満充電状態としては、バッテリ１０の定格容量の１００％であってもよく、定格容量の９０％や８０％であってもよい。
【００６６】
つまり、充電完了電流値Ｉｃｕｔは、バッテリ１０の定格容量の１００％まで充電できるように設定してもよく、バッテリ１０の使用状況、使用履歴等によって、バッテリ１０の定格容量よりも少ない９０％や８０％まで充電できるように設定してもよい。
【００６７】
また、バッテリ１０への充電時に、充電電流Ｉｎｏｗが一時的に低下した場合、バッテリ１０が満充電状態まで充電されていなくても、充電電流Ｉｎｏｗが充電完了電流値Ｉｃｕｔを下回って、充電が停止されることがある。
【００６８】
これに対し、本実施形態では、バッテリ電圧（詳しくはバッテリ１０のセル電圧）が規定値よりも低い場合には、充電完了電流値Ｉｃｕｔを零に設定することで、充電電流Ｉｎｏｗが一時的に低下したときに充電完了が誤判定されるのを抑制している。
【００６９】
よって、本実施形態の充電システム、詳しくは、バッテリパック２によれば、バッテリ１０への充電時に、バッテリ１０を満充電状態になるまで充電することができるようになり、しかも、充電後のバッテリ容量（充電容量）がばらつくのを抑制できるようになる。
【００７０】
なお、本実施形態においては、電流検出素子２４が本開示の電流検出部に相当し、温度検出回路２２が、本開示の温度検出部に相当し、バッテリ制御回路３０が本開示の制御部に相当する。従って、本実施形態では、本開示の充電制御装置としての機能が、バッテリパック２にて実現される。
【００７１】
以上、本開示を実施するための形態について説明したが、本開示は上述の実施形態に限定されることなく、種々変形して実施することができる。
例えば、上記実施形態では、バッテリ１０のセル電圧が既定値未満であるとき、充電完了電流値Ｉｃｕｔを零に設定することで、バッテリ１０が充分充電されていない状態で、充電電流Ｉｎｏｗが一時的に低下して、充電完了と判断されるのを抑制している。
【００７２】
しかし、このようにするには、必ずしも、充電完了電流値Ｉｃｕｔを零に設定する必要はない。例えば、図５に示すように、Ｓ１７０にて、セル電圧が既定値未満であると判断した場合には、Ｓ２５０での充電完了判定を実施することなく、Ｓ１４０に移行するようにしてもよい。このようにしても、上記実施形態と同様の効果を得ることができる。
【００７３】
また、上記実施形態では、バッテリ１０のセル電圧が既定値未満であるとき、充電完了電流値Ｉｃｕｔを零に設定するようにしているが、これは、バッテリ１０の負の充電電流（つまり放電電流）が流れない限り、充電が完了したことを判定しないようにするためである。
【００７４】
従って、バッテリ１０のセル電圧が既定値未満であるときに設定する充電完了電流値Ｉｃｕｔは、必ずしも零にする必要はなく、零に近い最低電流値に設定すればよい。
また、上記実施形態では、バッテリ制御回路３０にて充電完了判定を行うに当たって、バッテリ温度には、バッテリ１０を構成するセルの温度（セル温度）を利用し、バッテリ電圧には、バッテリ１０を構成するセルの電圧（セル電圧）を利用するものとして説明した。
【００７５】
これは、バッテリ１０の電圧及び温度を正確に検出して、充電制御を高精度に実施できるようにするためであるが、充電完了判定を行うのに用いるバッテリ電圧は、バッテリ１０の両端電圧であってもよく、バッテリ温度はバッテリ１０の外壁の温度であってもよい。
【００７６】
また、上記実施形態では、充電完了判定を行うＳ１４０〜Ｓ２５０の処理を、バッテリ制御回路３０で実施することで、バッテリパック２を、本開示の充電制御装置として機能させている。
【００７７】
これに対し、Ｓ１４０〜Ｓ２５０の処理を充電制御回路６０側で実施させることで、本開示の充電制御装置としての機能を、充電器４０の一機能として実現するようにしてもよい。
【００７８】
また次に、上記実施形態では、Ｓ１９０〜Ｓ２４０の処理において、充電完了電流値Ｉｃｕｔを、第１温度Ｔ１及び第２温度Ｔ２で区切られた３つの温度領域に対し設定された電流値Ｉ１〜Ｉ３の何れかに設定するものとして説明した。
【００７９】
しかし、この設定方法は一例であり、例えば、温度領域を４又はそれ以上に区切って、充電完了電流値ｉｃｕｔを設定するようにしてもよく、或いは、温度領域を高・低２段階に区切って、充電完了電流値Ｉｃｕｔを設定するようにしてもよい。
【００８０】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００８１】
２…バッテリパック、４…装着部、６…端子部、１０…バッテリ、１１〜１８…端子、２０…監視回路、２２…温度検出回路、２４…電流検出素子、２６…Ｖｃｃ検出回路、２８…充電許可信号出力回路、３０…バッテリ制御回路、３２…メモリ、３４…残容量ＬＥＤ制御回路、４０…充電器、４２…電源コード、４４…装着部、４６…端子部、５１〜５８…端子、６０…充電制御回路、６２…電源回路、６４…温度検出回路。
【図１】
2019075955.tif 000003
【図２】
2019075955.tif 000004
【図３】
2019075955.tif 000005
【図４】
2019075955.tif 000006
【図５】
2019075955.tif 000007